(57)【要約】ビーコンシンボルを用いる情報を送信するための技術が記載されている。送信機はサブキャリアの第１セットの少なくとも１つのサブキャリアによって伝達される第１情報を少なくとも１つのサブキャリアにマッピングし得る。送信機はサブキャリアの第２セットの１つまたは複数のサブキャリアに第２情報をマッピングし得る。第２情報は１つまたは複数のサブキャリア上で送信される１つまたは複数の変調シンボルによって伝達され得る。送信機は第１セットの少なくとも１つのサブキャリアにマッピングされた第１情報と第２セットの１つまたは複数のサブキャリアにマッピングされた第２情報とを備える少なくとも１つのビーコンシンボルを生成し得る。一設計において送信機は第１情報を第２情報と周波数分割多重し得る。別の設計において送信機は第１情報を用いて少なくとも１つのサブキャリア上で第２情報をパンクチャリングし得る。
2010539807.tif 000002
【特許請求の範囲】
【請求項１】
サブキャリアの第１のセットのうちの少なくとも１つのサブキャリアの位置によって伝達される第１の情報を前記少なくとも１つのサブキャリアにマッピングすることと、
第２の情報をサブキャリアの第２のセットのうちの１つまたは複数のサブキャリアにマッピングすることと、
前記第１のセットのうちの前記少なくとも１つのサブキャリアにマッピングされた前記第１の情報と、前記第２のセットのうちの前記１つまたは複数のサブキャリアにマッピングされた前記第２の情報とを備える少なくとも１つのビーコンシンボルを生成することと
を具備する、無線通信システムにおいて情報を送信する方法。
【請求項２】
前記第２の情報は、前記第２のセットのうちの前記１つまたは複数のサブキャリア上で送信される１つまたは複数の変調シンボルによって伝達される、請求項１の方法。
【請求項３】
前記第１の情報は、前記第２の情報と周波数分割多重（ＦＤＭ）され、
サブキャリアの前記第１のセットは、サブキャリアの前記第２のセットと重複しない、
請求項１の方法。
【請求項４】
システム帯域幅が、多数のサブバンドに分割され、
サブキャリアの前記第１のセットは、前記多数のサブバンドの少なくとも１つにあり、
サブキャリアの前記第２のセットは、前記多数のサブバンドの残りのものにある、
請求項３の方法。
【請求項５】
前記第１の情報は、前記少なくとも１つのサブキャリア上で前記第２の情報をパンクチャリングする、請求項１の方法。
【請求項６】
前記第１の情報のための第１の送信電力を決定することと、
前記第２の情報のための第２の送信電力を決定することと、
前記第１の情報のための前記第１のセットのうちの前記少なくとも１つのサブキャリア上で送信される少なくとも１つの変調シンボルのために前記第１の送信電力を使用することと、
前記第２の情報のための前記第２のセットのうちの１つまたは複数のサブキャリア上で送信される１つまたは複数の変調シンボルのために前記第２の送信電力を使用することと
を更に具備する、請求項１の方法。
【請求項７】
前記第１の送信電力を決定することは、利用可能な送信電力の所定比率または前記第１の情報に関する目標の信頼性を達成するための送信電力量に基づいて前記第１の送信電力を決定することを備える、請求項６の方法。
【請求項８】
前記第１の情報をマッピングすることは、
少なくとも１つの非バイナリシンボルを得るために前記第１の情報を符号化することと、
前記少なくとも１つの非バイナリシンボルに基づいて前記少なくとも１つのサブキャリアを決定することと
を備える、請求項１の方法。
【請求項９】
前記第１の情報をマッピングすることは、
多数の非バイナリシンボルを得るために前記第１の情報を符号化することと、
前記多数の非バイナリシンボルに基づいて多数のビーコンシンボルにおいて前記第１の情報のために使用する多数のサブキャリアを、対応する非バイナリシンボルに基づいて各ビーコンシンボルについて１つのサブキャリアが決定されるように決定することと
を備え、
前記少なくとも１つのビーコンシンボルを生成することは、前記ビーコンシンボルについて決定された前記１つのサブキャリアにマッピングされた前記第１の情報を備える前記多数のビーコンシンボルの各々を生成することを備える、
請求項１の方法。
【請求項１０】
前記第１の情報は、セル識別子（ＩＤ）またはセクタＩＤを備え、
前記第２の情報は、パイロット、制御情報、トラフィックデータまたはこの組み合わせを備える、
請求項１の方法。
【請求項１１】
サブキャリアの第１のセットのうちの少なくとも１つのサブキャリアの位置によって伝達される第１の情報を前記少なくとも１つのサブキャリアにマッピングし、第２の情報をサブキャリアの第２のセットのうちの１つまたは複数のサブキャリアにマッピングし、前記第１のセットのうちの前記少なくとも１つのサブキャリアにマッピングされた前記第１の情報と前記第２のセットのうちの前記１つまたは複数のサブキャリアにマッピングされた前記第２の情報とを備える少なくとも１つのビーコンシンボルを生成するように構成された少なくとも１つのプロセッサを備える、無線通信のための装置。
【請求項１２】
前記少なくとも１つのプロセッサは、前記第１の情報を前記第２の情報と周波数分割多重するように構成され、
サブキャリアの前記第１のセットは、サブキャリアの前記第２のセットと重複しない、
請求項１１の装置。
【請求項１３】
前記少なくとも１つのプロセッサは、前記第１の情報を用いて前記少なくとも１つのサブキャリア上で前記第２の情報をパンクチャリングするように構成される、請求項１１の装置。
【請求項１４】
前記少なくとも１つのプロセッサは、多数の非バイナリシンボルを得るために前記第１の情報を符号化し、前記多数の非バイナリシンボルに基づいて多数のビーコンシンボルにおいて前記第１の情報のために使用する多数のサブキャリアを、対応する非バイナリシンボルに基づいて各ビーコンシンボルについて１つのサブキャリアが決定されるように決定し、前記ビーコンシンボルについて決定された前記１つのサブキャリアにマッピングされた前記第１の情報を備える前記多数のビーコンシンボルの各々を生成するように構成される、請求項１１の装置。
【請求項１５】
サブキャリアの第１のセットのうちの少なくとも１つのサブキャリアの位置によって伝達される第１の情報を前記少なくとも１つのサブキャリアにマッピングするための手段と、
第２の情報をサブキャリアの第２のセットのうちの１つまたは複数のサブキャリアにマッピングするための手段と、
前記第１のセットのうちの前記少なくとも１つのサブキャリアにマッピングされた前記第１の情報と前記第２のセットのうちの前記１つまたは複数のサブキャリアにマッピングされた前記第２の情報とを備える少なくとも１つのビーコンシンボルを生成するための手段と
を具備する、無線通信のための装置。
【請求項１６】
前記第１の情報は、前記第２の情報と周波数分割多重され、
サブキャリアの前記第１のセットは、サブキャリアの前記第２のセットと重複しない、
請求項１５の装置。
【請求項１７】
前記第１の情報は、前記少なくとも１つのサブキャリア上で前記第２の情報をパンクチャリングする、請求項１５の装置。
【請求項１８】
前記第１の情報をマッピングするための手段は、
多数の非バイナリシンボルを得るために前記第１の情報を符号化するための手段と、
前記多数の非バイナリシンボルに基づいて多数のビーコンシンボルにおいて前記第１の情報のために使用する多数のサブキャリアを、対応する非バイナリシンボルに基づいて各ビーコンシンボルについて１つのサブキャリアが決定されるように決定するための手段と
を備え、
前記少なくとも１つのビーコンシンボルを生成するための手段は、前記ビーコンシンボルについて決定された前記１つのサブキャリアにマッピングされた前記第１の情報を備える前記多数のビーコンシンボルの各々を生成するための手段を備える、
請求項１５の装置。
【請求項１９】
少なくとも１つのコンピュータに、サブキャリアの第１のセットのうちの少なくとも１つのサブキャリアの位置によって伝達される第１の情報を前記少なくとも１つのサブキャリアにマッピングさせるためのコードと、
前記少なくとも１つのコンピュータに、第２の情報をサブキャリアの第２のセットのうちの１つまたは複数のサブキャリアにマッピングさせるためのコードと、
前記少なくとも１つのコンピュータに、前記第１のセットのうちの前記少なくとも１つのサブキャリアにマッピングされた前記第１の情報と前記第２のセットのうちの前記１つまたは複数のサブキャリアにマッピングされた前記第２の情報とを備える少なくとも１つのビーコンシンボルを生成させるためのコードと
を具備するコンピュータ可読媒体
を備えるコンピュータプログラム製品。
【請求項２０】
サブキャリアの第１のセットのうちの少なくとも１つのサブキャリアにマッピングされた第１の情報とサブキャリアの第２のセットのうちの１つまたは複数のサブキャリアにマッピングされた第２の情報とを備える少なくとも１つのビーコンシンボルを受信することと、
前記第１のセットのうちの前記少なくとも１つのサブキャリアの位置に基づいて前記第１の情報を回復することと、
前記第２のセットのうちの前記１つまたは複数のサブキャリアに関する１つまたは複数の受信シンボルに基づいて前記第２の情報を回復することと
を具備する、無線通信システムにおいて情報を受信する方法。
【請求項２１】
前記第１の情報は、前記第２の情報と周波数分割多重（ＦＤＭ）され、
サブキャリアの前記第１のセットは、サブキャリアの前記第２のセットと重複しない、
請求項２０の方法。
【請求項２２】
前記第１の情報は、前記少なくとも１つのサブキャリア上で前記第２の情報をパンクチャリングし、
前記第２の情報を回復することは、
前記第１の情報のために使用された前記少なくとも１つのサブキャリアに関する少なくとも１つの受信シンボルを破棄することと、
前記第２の情報を回復するために前記第２のセットのうちの残りのサブキャリアに関する受信シンボルを処理することと
を備える、
請求項２０の方法。
【請求項２３】
前記第１の情報を回復することは、
前記第１のセットのうちの各サブキャリアの受信電力を閾値と比較することと、
比較結果に基づいて前記第１の情報のために使用された前記少なくとも１つのサブキャリアを識別することと
を具備する、
請求項２０の方法。
【請求項２４】
前記少なくとも１つのビーコンシンボルを受信することは、各ビーコンシンボルにおいて１つのサブキャリアにマッピングされた前記第１の情報を備える多数のビーコンシンボルを受信することを備え、
前記第１の情報を回復することは、前記第１の情報を回復するために前記多数のビーコンシンボルからの受信シンボルに硬判定復号または軟判定復号を実行することを備える、
請求項２０の方法。
【請求項２５】
前記少なくとも１つのビーコンシンボルを受信することは、各ビーコンシンボルにおいて１つのサブキャリアにマッピングされた前記第１の情報を備える多数のビーコンシンボルを受信することを備え、
前記第１の情報を回復することは、
各ビーコンシンボルにおいて前記第１の情報のために使用された前記１つのサブキャリアを判定することと、
各ビーコンシンボルについて１つの非バイナリシンボルとなるように、前記多数のビーコンシンボルについて多数の非バイナリシンボルを取得することと、
前記第１の情報を回復するために前記多数の非バイナリシンボルを復号化することと
を備え、
各非バイナリシンボルは、対応するビーコンシンボルにおいて前記第１の情報のために使用された前記１つのサブキャリアの位置によって決定される、
請求項２０の方法。
【請求項２６】
前記少なくとも１つのビーコンシンボルを受信することは、各ビーコンシンボルにおいて１つのサブキャリアにマッピングされた前記第１の情報を備える多数のビーコンシンボルを受信することを備え、
前記第１の情報を回復することは、
前記多数のビーコンシンボルにおいて前記第１の情報に関する多数の見込まれるメッセージの各々に使用されるサブキャリアの受信電力を結合することにより、当該メッセージについての総受信電力を判定することと、
前記多数の見込まれるメッセージについての総受信電力に基づいて前記第１の情報を判定することと
を備える、
請求項２０の方法。
【請求項２７】
サブキャリアの第１のセットのうちの少なくとも１つのサブキャリアにマッピングされた第１の情報とサブキャリアの第２のセットのうちの１つまたは複数のサブキャリアにマッピングされた第２の情報とを備える少なくとも１つのビーコンシンボルを受信し、前記第１のセットのうちの前記少なくとも１つのサブキャリアの位置に基づいて前記第１の情報を回復し、前記第２のセットのうちの前記１つまたは複数のサブキャリアに関する１つまたは複数の受信シンボルに基づいて前記第２の情報を回復するように構成された少なくとも１つのプロセッサを備える、無線通信のための装置。
【請求項２８】
前記第１の情報は、前記第２の情報と周波数分割多重（ＦＤＭ）され、
サブキャリアの前記第１のセットは、サブキャリアの前記第２のセットと重複しない、
請求項２７の装置。
【請求項２９】
前記第１の情報は、前記少なくとも１つのサブキャリア上で前記第２の情報をパンクチャリングし、
前記少なくとも１つのプロセッサは、前記第１の情報のために使用された前記少なくとも１つのサブキャリアに関する少なくとも１つの受信シンボルを破棄し、前記第２の情報を回復するために前記第２のセットのうちの残りのサブキャリアに関する受信シンボルを処理するように構成される、
請求項２７の装置。
【請求項３０】
前記少なくとも１つのプロセッサは、各ビーコンシンボルにおいて１つのサブキャリアにマッピングされた前記第１の情報を備える多数のビーコンシンボルを受信し、前記第１の情報を回復するために前記多数のビーコンシンボルからの受信シンボルに硬判定復号または軟判定復号を実行するように構成される、請求項２７の装置。
【発明の詳細な説明】
【技術分野】
【０００１】
本願は、「ＦＤＭビーコン（"FDM BEACON"）」と題され、２００７年９月１４日に出願され、本願の譲受人に譲渡され、参照によって本願に組み込まれる米国仮特許出願第６０／９７２，５３０号についての優先権を主張する。
【０００２】
本開示は、一般的には通信に関し、より具体的には無線通信システムにおいて情報を送信するための技術に関する。
【背景技術】
【０００３】
無線通信システムは、音声、ビデオ、パケットデータ、メッセージング、放送などの種々の通信コンテンツを提供するために広く配置されている。無線システムは、利用可能なシステムリソースを共有することによって多数のユーザをサポートすることのできる多元接続システムであり得る。係る多元接続システムの例は、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム及びシングルキャリアＦＤＭＡ（ＳＣ−ＦＤＭＡ）システムを含む。
【０００４】
無線通信システムは、多数の端末のための通信をサポートすることのできる多数の基地局を含み得る。基地局は、トラフィックデータ、制御情報及びパイロットなどの種々の種別の情報を１つまたは複数の端末に送信し得る。制御情報は、オーバヘッド情報、シグナリングなどとしても参照され得る。端末もまた、基地局に種々の種別の情報を送信し得る。送信機にとって、１つまたは複数の受信機に種々の種別の情報を効率的かつ確実に送信することが望ましい。
【発明の概要】
【０００５】
無線通信システムにおいて情報を送信するための技術が本願に記述される。一態様において、送信機は異なる方法で送信される異なる情報を備えるビーコンシンボルを生成し得る。一設計において、送信機は、サブキャリアの第１のセットのうち少なくとも１つのサブキャリアの位置によって伝達される第１の情報を、この少なくとも１つのサブキャリアにマッピングし得る。送信機は、サブキャリアの第２のセットにおける１つまたは複数のサブキャリアに第２の情報をマッピングし得る。例えば、第２の情報は、サブキャリアの第２のセットにおける１つまたは複数のサブキャリア上で送信される１つまたは複数の変調シンボルによって伝達される。送信機は、第１のセットにおける少なくとも１つのサブキャリアにマッピングされた第１の情報と第２のセットにおける１つまたは複数のサブキャリアにマッピングされた第２の情報とを備える少なくとも１つのビーコンシンボルを生成し得る。各ビーコンシンボルは、直交周波数分割多重（ＯＦＤＭ）シンボルまたはシングルキャリア周波数分割多重（ＳＣ−ＦＤＭ）シンボルであり得る。
【０００６】
一設計において、端末は、第１の情報を第２の情報と周波数分割多重（ＦＤＭ）し得る。この設計に関して、サブキャリアの第１のセットは、サブキャリアの第２のセットと重複しないだろう。別の設計において、送信機は、第１の情報を用いて少なくとも１つのサブキャリア上で第２の情報をパンクチャリングし（puncture）得る。この設計に関して、サブキャリアの第１のセットはサブキャリアの第２のセットと重複し得る（例えば一致し得る）。第１の情報はセル識別子（ＩＤ）、セクタＩＤ及び／または他の情報を備え得る。第２の情報は、パイロット、制御情報、トラフィックデータなどを備え得る。
【０００７】
送信機は、第１の情報のために使用される少なくとも１つのサブキャリアに関してより高い送信電力を使用し得る。このことは、低いジオメトリ（geometry）の受信機が第１の情報を確実に受信することを可能にする。第１及び第２の情報を同一のビーコンシンボルに多重することは、帯域幅利用を改善し得る。
【０００８】
本開示の種々の態様及び特徴は、以下に詳細に記述される。
【図面の簡単な説明】
【０００９】
【図１】図１は、無線通信システムを示す。
【図２】図２は、ＦＤＭビーコンシンボルの送信を示す。
【図３】図３は、ＦＤＭビーコンシンボルに関する送信電力対サブキャリアを示す。
【図４】図４は、パンクチャドビーコンシンボルの送信を示す。
【図５】図５は、パンクチャドビーコンシンボルに関する送信電力対サブキャリアを示す。
【図６】図６は、基地局及び端末のブロック図を示す。
【図７】図７は、送信プロセッサのブロック図を示す。
【図８】図８は、受信プロセッサのブロック図を示す。
【図９】図９は、情報を送信するための処理を示す。
【図１０】図１０は、情報を送信するための装置を示す。
【図１１】図１１は、情報を受信するための処理を示す。
【図１２】図１２は、情報を受信するための装置を示す。
【発明を実施するための形態】
【００１０】
本願に記載される技術は、ＣＤＭＡ、ＴＤＭＡ、ＦＤＭＡ、ＯＦＤＭＡ、ＳＣ−ＦＤＭＡ及び他のシステムなどの種々の無線通信システムに関して利用され得る。「システム（"system"）」及び「ネットワーク（"network"）」という用語は、しばしば交換可能に使用される。ＣＤＭＡシステムは、ＵＴＲＡ（Universal Terrestrial Radio Access）、cdma2000などの無線技術を実装し得る。ＵＴＲＡは、ＷＣＤＭＡ（Wideband CDMA）及び他のＣＤＭＡの変形を含む。cdma2000は、IS-2000、IS-95及びIS-856標準をカバーする。ＴＤＭＡシステムは、ＧＳＭ（Global System for Mobile Communications）などの無線技術を実装し得る。ＯＦＤＭＡシステムは、Ｅ−ＵＴＲＡ（Evolved UTRA）、ＵＭＢ（Ultra Mobile Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）などの無線技術を実装し得る。ＵＴＲＡ及びＥ−ＵＴＲＡは、ＵＭＴＳ（Universal Mobile Telecommunication System）の一部である。３ＧＰＰ  ＬＴＥ（Long Term Evolution）は、Ｅ−ＵＴＲＡを使用するＵＭＴＳの来るべきリリースであり、これはダウンリンクでＯＦＤＭＡ及びアップリンクでＳＣ−ＦＤＭＡを使用する。ＵＴＲＡ、Ｅ−ＵＴＲＡ、ＵＭＴＳ、ＬＴＥ及びＧＳＭは、「第３世代パートナシッププロジェクト」（３ＧＰＰ）と名付けられた組織からの文書に記載されている。cdma2000及びＵＭＢは、「第３世代パートナシッププロジェクト２」（３ＧＰＰ２）と名付けられた組織からの文書に記載されている。
【００１１】
図１は無線通信システム１００を示しており、これは多数の基地局及び他のネットワークエンティティを含み得る。簡潔さのために、３つの基地局１１０ａ、１１０ｂ及び１１ｃと１つのシステムコントローラ１３０だけが図１に示されている。基地局は、端末と通信する固定局であり得るし、ノードＢ、ｅＮＢ（evolved Node B）、アクセスポイント、ＢＴＳ（base transceiver station）などとしても参照され得る。各基地局１１０は、特定の地理的エリア１０２に関して通信カバレージを提供する。システム容量を改善するために、基地局の全体のカバレージは多数のより小さなエリア（例えば、３つのより小さなエリア１０４ａ、１０４ｂ及び１０４ｃ）に分割され得る。夫々のより小さなエリアには、個別の基地局サブシステムが施設され得る。３ＧＰＰにおいて、「セル」という用語は、基地局の最小カバレージエリア及び／またはこのカバレージエリアを受け持つ基地局サブシステムを参照できる。３ＧＰＰ２において、「セクタ」という用語は基地局の最小カバレージエリア及び／またはこのカバレージエリアを受け持つ基地局サブシステムを参照できる。明確さのために、セルについての３ＧＰＰの概念が、以下の説明において使用される。
【００１２】
図１に示される例において、各基地局１１０は異なる地理的エリアをカバーする３つのセルを持つ。簡潔さのために、図１は互いに重複しないセルを示している。実際の配置では、隣接セルは概して端部において互いに重複し、これは端末がシステムのまわりを移動するときに当該端末がいずれの場所でも１つまたは複数のセルから通信カバレージを受けることを可能にし得る。
【００１３】
端末１２０はシステムの至る所に分散し得るし、各端末は固定または可動であり得る。端末は、移動局、ユーザ装置（ＵＥ）、アクセス端末、加入者ユニット局などとしても参照され得る。端末は、セルラ電話機、ＰＤＡ（personal digital assistant）、無線モデム、無線通信デバイス、ハンドヘルドデバイス、ラップトップコンピュータ、コードレス電話機などであり得る。端末は、順方向または逆方向リンクを介して基地局と通信し得る。順方向リンク（またはダウンリンク）は基地局から端末への通信リンクを参照し、逆方向リンク（またはアップリンク）は端末から基地局への通信リンクを参照する。
【００１４】
システムコントローラ１３０は、基地局のセットに結合され、これらの基地局に関する調整及び制御を提供する。システムコントローラ１３０は、単一のネットワークエンティティまたはネットワークエンティティの集まりであり得る。
【００１５】
システム１００は、ＯＦＤＭ及び／またはＳＣ−ＦＤＭを利用し得る。一般に、変調シンボルは、周波数領域ではＯＦＤＭを用いて、時間領域ではＳＣ−ＦＤＭを用いて送信される。ＯＦＤＭ及びＳＣ−ＦＤＭは、システム帯域幅を複数（Ｋ個）の直交サブキャリアに分割するが、これらはトーン、ビンなどとしても一般に参照される。隣接サブキャリア間の間隔は固定であり得るし、サブキャリアの総数（Ｋ個）はシステム帯域幅に左右され得る。例えば、Ｋは、１．２５、２．５、５、１０または２０ＭＨｚの帯域幅に関して夫々１２８、２５６、５１２、１０２４または２０４８と一致し得る。Ｋ個の総サブキャリアのサブセットは送信のために使用可能であり得るが、残りのサブキャリアはガードサブキャリアの役を務め得る。簡潔さのために、以下の説明はＫ個の総サブキャリアの全てが使用可能であることを仮定する。
【００１６】
ＯＦＤＭに関して、送信機（例えば、基地局または端末）は、各ＯＦＤＭシンボル期間においてＫ個までのサブキャリア上でＫ個までの変調シンボルを送信し得る。変調シンボルが送信のために使用されるサブキャリアにマッピングされ、零の信号値を持つ零シンボルが残りのサブキャリアにマッピングされ得る。Ｋ個のマッピングされたシンボルは、Ｋ個の時間領域サンプルを含む有効部を得るためにＫ点逆高速フーリエ変換（ＩＦＦＴ）を用いて時間領域に変換され得る。有効部のうちの末尾のＣ個のサンプルは、Ｋ＋Ｃ個のサンプルを含むＯＦＤＭシンボルを形成するために、複製されて有効部の先頭に付加される。複製された部分は、サイクリックプレフィクスとして参照され、Ｃはサイクリックプレフィクス長である。サイクリックプレフィクスは、周波数選択性フェージングによって生じるシンボル間干渉（ＩＳＩ）に対抗するために使用される。ＯＦＤＭシンボルは、１つのＯＦＤＭシンボル期間に送信され得るが、これはＫ＋Ｃ個のサンプル期間を含み得る。
【００１７】
ＳＣ−ＦＤＭに関して、送信機は、Ｓ（ここでＳ≧１）個の周波数領域シンボルを得るために、Ｓ点離散フーリエ変換（ＤＦＴ）をＳ個の変調シンボルに実行し得る。Ｓ個の周波数領域シンボルは送信に使用するためにＳ個のサブキャリアにマッピングされ、零シンボルが残りのサブキャリアにマッピングされ得る。Ｋ個のマッピングされたシンボルは、有効部を得るために、Ｋ点ＩＦＦＴを用いて変換され得る。サイクリックプレフィクスは、ＳＣ−ＦＤＭシンボルを形成するために有効部に付加され得る。
【００１８】
本願に記載される技術は、ＯＦＤＭ、ＳＣ−ＦＤＭ及びことによると他の変調技術と共に使用され得る。明確さのために、以下の説明の大部分は、システムがＯＦＤＭを利用し、情報はＯＦＤＭシンボルで送信されることを仮定する。しかしながら、以下の説明におけるＯＦＤＭシンボルへの参照は、ＳＣ−ＦＤＭシンボルまたは他の送信シンボルに置き換えられ得る。
【００１９】
送信機は、１つまたは複数の受信機にビーコンシンボルを送信し得る。ビーコンシンボルは、１つまたは複数のサブキャリアの位置で情報を搬送するＯＦＤＭシンボルまたはＳＣ−ＦＤＭシンボルであり、これらはビーコンサブキャリアとして参照される。例えば、１つの情報ビットが２つのサブキャリアのうち１つを選択するために使用され、２つの情報ビットが４つのサブキャリアのうち１つを選択するために使用され得る。情報は、サブキャリア上で送信される変調シンボルの代わりに、ビーコンサブキャリアとして使用されるサブキャリアを使ってそのように伝達される。ビーコンシンボルは、ビーコンＯＦＤＭシンボル、ビーコンなどとしても参照され得る。ビーコンシンボルは、ビーコンサブキャリアに関してより高い送信電力を用いて送信され得るので、低い受信信号品質にある受信機によっても確実に検出され得る。以下の説明では、信号対雑音比（ＳＮＲ）が受信信号品質を表示するために使用される。
【００２０】
一態様において、ＯＦＤＭシンボルはビーコン情報だけでなく他の情報を搬送し得る。ビーコン情報は、ビーコンサブキャリアの位置によって伝達される情報である。他の情報は、トラフィックデータ、制御情報及び／またはパイロットなどであり得るし、サブキャリア上で送信される変調シンボルによって伝達され得る。ビーコン情報及び他の情報を同一のＯＦＤＭシンボル内で多重することは、ある種の利点を提供し得る。第１に、ビーコン情報は、低いＳＮＲを持つ受信機に確実に送信され得る。第２に、他の情報も、ＯＦＤＭシンボルにおいて送信され、利用可能な帯域幅をよりうまく利用し得る。
【００２１】
テーブル１は、種々の種別のビーコンシンボルを列挙し、夫々のビーコンシンボルの種別に関する簡潔な説明を提供する。ビーコンシンボルは、（ｉ）ビーコン情報のみを搬送する純ビーコンシンボルまたは（ｉｉ）ビーコン情報及び他の情報の両方を搬送する多重ビーコンシンボルであり得る。ＦＤＭビーコンシンボル及びパンクチャドビーコンシンボルは、多重ビーコンシンボルのうちの２つの種別である。  
【表１】
2010539807.tif 000003
【００２２】
図２は、ＦＤＭビーコンシンボルの送信の設計を示す。この設計において、システム帯域幅は、ビーコンセグメント及びデータセグメントに分割され得る。ビーコンセグメントはＬ個のサブキャリアを含み、データセグメントはＭ個のサブキャリアを含み得る（ここでＬはＫ未満のいずれの整数であってよく、Ｍ≦Ｋ−Ｌ）。ビーコンセグメントは、サブキャリアの静的なセットまたは異なる時間間隔において異なるサブキャリアのセットに割り当てられ得る。一設計において、システム帯域幅は、多数のサブバンドに分割され得るし、各サブバンドは連続または不連続のサブキャリアのセットを含み得る。１つまたは複数のサブバンドはビーコンセグメントのために使用され、残りのサブバンドはデータセグメントのために使用され得る。どの場合においても、ビーコンセグメント内のサブキャリアは、送信器及び受信機の両方によって先天的（a priori）に知られているか、ブロードキャスト情報を介して伝達されているか、何らかの他の方法で提供され得る。
【００２３】
ＦＤＭビーコンシンボルは、Ｎ（ここでＮは１またはより大きな整数値であり得る）番目のＯＦＤＭシンボル期間の度に送信され得る。一設計において、送信タイムラインはフレーム単位で分割され得るが、各フレームはＮ個のＯＦＤＭシンボル期間を含む。ＦＤＭビーコンシンボルは、各フレームのうちの１つのＯＦＤＭシンボル期間において送信され得る。フレームは、無線（radio）フレーム、物理レイヤ（ＰＨＹ）フレーム、スーパーフレームなどであり得る。ＦＤＭビーコンシンボルは、Ｎ＝１に関して、各ＯＦＤＭシンボル期間において送信され得る。
【００２４】
図２に示される例において、ＦＤＭビーコンシンボルは、ＯＦＤＭシンボル期間ｉ（ここでｉはＯＦＤＭシンボル期間のためのインデックスである）において送信される。このＦＤＭビーコンシンボルは、ビーコンサブキャリアＸｔ（ここでｔはビーコンシンボルのためのインデックスであり、Ｘｔは時間ｔにおいて送信されるビーコンシンボルにおけるビーコンサブキャリアのインデックスである）上でビーコン情報を送信する。このＦＤＭビーコンシンボルは、データセグメント内のサブキャリア上で他の情報も搬送し得る。任意の情報を含むＯＦＤＭシンボルが、ＯＦＤＭシンボル期間ｉ＋１からｉ＋Ｎ−１までの各々において送信され得る。別のＦＤＭビーコンシンボルは、ＯＦＤＭシンボル期間ｉ＋Ｎにおいて送信され、ビーコンサブキャリアＸｔ＋１上でビーコン情報を搬送する。このＦＤＭビーコンシンボルは、データセグメント内のサブキャリア上で他の情報も搬送し得る。ＦＤＭビーコンシンボル及びＯＦＤＭシンボルは、同様の方法で他のＯＦＤＭシンボル期間において送信され得る。
【００２５】
図３は、１つのＦＤＭシンボル期間に関する送信電力対サブキャリアのプロットを示す。「送信電力」及び「エネルギー」という用語は、関連し、しばしば交換可能に使用される。ＯＦＤＭシンボルのために利用可能な送信電力Ｐａｖａｉｌはビーコン送信電力Ｐｂｅａｃｏｎ及びデータ送信電力Ｐｄに分配される。ビーコン送信電力は、ビーコン情報のために割り当てられる利用可能な送信電力の一部である。データ送信電力は、他の情報のために割り当てられる利用可能な送信電力の一部である。図３に示される例において、ビーコン送信電力の全てはビーコンサブキャリアＸｔのために使用され、これはＰｂｅａｃｏｎの送信電力レベルで送信される。ビーコンセグメントにおける残りのサブキャリアは空きであり、零の送信電力レベルを持ち得る。
【００２６】
データ送信電力は、データセグメント内のサブキャリアに亘って分配され得る。図３に示される例において、データ送信電力は、データセグメント内のＭ個のサブキャリアに亘って均一に分配されており、各サブキャリアはＰｄａｔａ＝Ｐｄ／Ｍの送信電力レベルで送信される。一般に、データセグメントは１つまたは複数の種別の情報を搬送し得るが、同一または種々の送信電力レベルが種々の種別の情報のために使用され得る。例えば、パイロットは第１の送信電力レベルで送信され、制御情報は第２の送信電力レベルで送信され、トラフィックデータは第３の送信電力レベルで送信され得る。第１の送信電力レベルは、パイロットに関して所望の受信信号品質を達成するように電力制御ループを用いて調整され得る。第２の送信電力は、制御情報に関する所望の信頼性を達成するように調整され得る。第３の送信電力は、残りのデータ送信電力に左右され得る。
【００２７】
図４は、パンクチャドビーコンシンボルの送信の設計を示す。この設計において、全体のシステム帯域幅が、ビーコン情報だけでなく他の情報を送信するために使用され得る。一般には、サブキャリアの第１のセットはビーコン情報のために使用され、サブキャリアの第２のセットは他の情報のために使用され、２つのセットは完全にまたは部分的に互いに重複し得る。パンクチャドビーコンシンボルは、Ｎ（ここでＮ≧１）番目のＯＦＤＭシンボルの度に送信され得る。図４に示される例において、パンクチャドビーコンシンボルはＯＦＤＭシンボル期間ｉにおいて送信される。このパンクチャドビーコンシンボルは、ビーコンサブキャリアＸｔ上でビーコン情報を搬送し、残りのサブキャリア上で他の情報も搬送し得る。任意の情報を含むＯＦＤＭシンボルが、ＯＦＤＭシンボル期間ｉ＋１からｉ＋Ｎ−１までの各々において送信され得る。別のパンクチャドビーコンシンボルが、ＯＦＤＭシンボル期間ｉ＋Ｎにおいて送信される。このパンクチャドビーコンシンボルは、ビーコンサブキャリアＸｔ＋１上でビーコン情報を搬送し、残りのサブキャリア上で他の情報も搬送し得る。パンクチャドビーコンシンボル及びＯＦＤＭシンボルは、同様の方法で他のＯＦＤＭシンボル期間において送信され得る。
【００２８】
図５は、１つのパンクチャドビーコンシンボルに関する送信電力対サブキャリアのプロットを示す。ＯＦＤＭシンボルのために利用可能な送信電力Ｐａｖａｉｌは、ビーコン送信電力Ｐｂｅａｃｏｎ及びデータ送信電力Ｐｄに分配され得る。図５に示される例において、ビーコン送信電力の全てがビーコンサブキャリアＸｔのために使用され、これはＰｂｅａｃｏｎの送信電力レベルで送信される。データ送信電力は、送信のために使用されるサブキャリアに亘って分配され得る。図５に示される例において、データ送信電力はＫ個の総サブキャリアに亘って均一に分配されており、各サブキャリアはＰｄａｔａ＝Ｐｄ／Ｋの送信電力レベルで送信される。一般には、１つまたは複数の種別の情報がパンクチャドビーコンシンボルにおいて送信され得るが、同一または様々な送信電力レベルが種々の種別の情報のために使用され得る。
【００２９】
ＦＤＭ及びパンクチャドビーコンシンボルの両方に関して、ビーコン情報のために使用する送信電力の量及び他の情報のために使用する送信電力の量は、種々の方法で決定され得る。一設計において、利用可能な送信電力の固定比（例えば５０％または何らかの他のパーセンテージ）がビーコン情報のために割り当てられ、残りの送信電力が他の情報のために割り当てられ得る。固定比は、ビーコン情報に関する所望のカバレージ、送信するビーコン情報の量、ビーコン情報のために使用される符号化方式などに基づいて決定され得る。別の設計において、ビーコンシンボルは、目標のジオメトリまたはより良好なジオメトリを達成する受信機に向けられ得る。利用可能な送信電力は、最初に、目標のジオメトリを持つ受信機についてビーコン情報の所望の信頼性を達成するようにビーコン情報に割り当てられる。それから残りの送信電力が、他の情報に割り当てられ得る。更なる別の設計において、利用可能な送信電力は、最初に、例えばパイロット、制御情報などの他の情報に割り当てられ得る。それから残りの送信電力が、ビーコン情報に割り当てられ得る。利用可能な送信電力は、他の方法でビーコン情報及び他の情報に割り当てられ得る。
【００３０】
一般には、ビーコン情報はいずれの種別の情報も備え得るが、これは送信機が基地局または端末であるかどうかによって左右され得る。送信機が基地局であるならば、ビーコン情報はセルＩＤまたはセクタＩＤ、ブロードキャスト情報、システム情報、制御情報などを備え得る。送信機が端末であるならば、ビーコン情報は制御情報などを備え得る。
【００３１】
ビーコン情報は、ビーコン符号を用いて送信され得る。ビーコン符号は、送信機においてビーコン情報を符号化し、受信機においてビーコン情報を復号化するために使用される符号である。ビーコンサブキャリアインデックスＸｔは、非バイナリシンボルとして考慮され得る。非バイナリシンボルは、２よりも多くの見込まれる値のうちの１つを持つシンボルであり、マルチビットシンボルとしても参照され得る。送信機は、非バイナリシンボルのシーケンスを生成するためにビーコン符号に基づいてビーコン情報を処理し得る。送信機は、１つのビーコンシンボルにおいて夫々の非バイナリシンボルを送信し得る。受信機は、ビーコンシンボルから非バイナリシンボルを受信し得る。受信機は、送信機によって送信されたビーコン情報を回復するためにビーコン符号に基づいて、受信した非バイナリシンボルを復号し得る。
【００３２】
ビーコン符号は、多項式符号、ＭＤＳ（maximum distance separable）符号、リードソロモン符号（これはＭＤＳ符号の一種別である）、または他の種別の符号に基づいて定められ得る。明確さのために、リードソロモン符号に基づく具体的なビーコン符号が、以下に記述される。このビーコン符号に関して、Ｓ＝４７個のサブキャリアが、ビーコン情報を送信するために利用可能であり、０から４６までのインデックスを割り当てられている。一般には、ＦＤＭビーコンシンボルに関してＳ≦Ｌであり、パンクチャドビーコンシンボルに関してＳ≦Ｋである。この例示的なビーコン符号設計において、ビーコン情報は１２ビットのメッセージで送信される。このビーコン符号は、それ故に少なくとも２１２＝４０９６個の異なる非バイナリシンボルのシーケンスをサポートするはずであり、夫々の見込まれるメッセージが異なる非バイナリシンボルのシーケンスにマッピングされている。ビーコンシンボルは、インデックスｔ（ここでｔ＝０，１，２・・・）によって与えられる異なる時間に送信され得る。
【００３３】
ビーコン情報を備えるメッセージは、非バイナリシンボルのシーケンスＸｔ（α１，α２，α３）にマッピングされ得るが、これは次のように表される。  
【数１】
2010539807.tif 000004
【００３４】
体Ｚ４７は、０から４６までの４７個の元を含む。体Ｚ４７の原始元は、体Ｚ４７の全４６個の非零の元を生成するために使用され得る、Ｚ４７の元である。例として、０から６までの７個の元を含む体Ｚ７に関して、５はＺ７の原始元であり、次のようにＺ７の全６個の非零の元を生成するために使用され得る。５０mod７＝１、５１mod７＝５、５２mod７＝４、５３mod７＝６、５４mod７＝２、５５mod７＝３である。
【００３５】
数式（１）において、算術演算は体Ｚ４７上にある。例えば、Ａ及びＢの加算は（Ａ＋Ｂ）mod４７として与えられ得るし、ＡとＢの乗算は（Ａ＊Ｂ）mod４７として与えられ得るし、ＡのＢ乗はＡＢmod４７として与えられ得る。指数内の加算はモジュロ−４７整数加算である。
【００３６】
一設計において、ｐ１＝４５、ｐ２＝ｐ１２＝４、ｐ３＝ｐ１３＝３９である。他の原始元もｐ１に使用され得る。ｐ２＝ｐ１２及びｐ３＝ｐ１３の選択は、数式（１）を用いてリードソロモン符号に帰着する。
【００３７】
指数要素α１、α２及びα３は、次のように定義され得る。  
【数２】
2010539807.tif 000005
【００３８】
数式セット（２）に示される制約に関して、総計２＊４６＊４６＝４２３２個のα１、α２及びα３の異なる組み合わせが得られる。α１、α２及びα３の夫々のユニークな組み合わせが、異なる見込まれるメッセージ（従ってビーコン情報に関する非バイナリシンボルの異なるシーケンス）に対応する。α１、α２及びα３の４２３２個の異なる組み合わせは、１２ビットのメッセージをサポートできる。メッセージは、次のように、対応するα１、α２及びα３の組み合わせにマッピングされ得る。  
【数３】
2010539807.tif 000006
【００３９】
ここでＹは１２ビットのメッセージ値であり、０と４０９５の間の範囲内にある。メッセージ及びα１、α２及びα３の組み合わせ間の他のマッピングも使用され得る。
【００４０】
ｉ＝１，２，３に関してｐｉ４６＝１なので、数式（１）に示されるビーコン符号は４６／２＝２３シンボルの周期に関して周期的である。故に、いずれの所与の値ｔに関しても、Ｘｔ＋２３（α１，α２，α３）＝Ｘｔ（α１，α２，α３）である。
【００４１】
送信機は、数式（１）に示されるビーコン符号に基づいて２３個の非バイナリシンボルのシーケンスに１２ビットのメッセージをマッピングし得る。送信機は、メッセージのためのシーケンスにおいて３個または４個以上の連続した非バイナリシンボルを、各ビーコンシンボルにおいて１つの非バイナリシンボルを送信し得る。
【００４２】
受信機は、３個の連続したビーコンシンボルを用いて送信機によって送信されたメッセージを回復できる。受信機は、時間ｔ、ｔ＋１及びｔ＋２において夫々受信した３個のビーコンシンボルから３個の非バイナリシンボルｘ１，ｘ２及びｘ３を取得し得る。受信非バイナリシンボルは、次のように表され得る。  
【数４】
2010539807.tif 000007
【００４３】
数式セット（４）は、次のように行列形式で表され得る。  
【数５】
2010539807.tif 000008
【００４４】
受信機は、次のように、数式（５）の項ｐ１α1＋２ｔ、ｐ１α2ｐ２２ｔ及びｐ１α3ｐ３２ｔに関して解くことができる。  
【数６】
2010539807.tif 000009
【００４５】
受信機は、ｐ１α1＋２ｔの指数を次のように得ることができる。  
【数７】
2010539807.tif 000010
【００４６】
数式（７）における対数は体Ｚ４７上にある。指数要素α１及び時間インデックスｔは数式（７）から次のように得ることができる。
【数８】
2010539807.tif 000011
【００４７】
要素α２は、ｐ１α2を取得するために数式（８ｂ）から得られるｔをｙ２＝ｐ１α2ｐ２２ｔに代入することと、それからｐ１α2に基づいてα２について解くこととにより決定され得る。同様に、要素α３は、ｐ１α3を取得するためにｔをｙ３＝ｐ１α3ｐ３２ｔに代入することと、それからｐ１α3に基づいてα３について解くこととにより決定され得る。
【００４８】
リードソロモン符号に基づく例示的なビーコン符号が上述されてきた。他のビーコン符号も、ビーコンシンボルにおいてビーコン情報を送信するために使用され得る。
【００４９】
一般に、送信機は、非バイナリシンボルのシーケンスを生成するためにビーコン符号に基づいてビーコン情報を処理し得る。送信機は、各シーケンスにおいて十分な数の非バイナリシンボル、例えば各ビーコンシンボルにおいて１つの非バイナリシンボルを送信し得る。送信する非バイナリシンボルの数は、ビーコン符号、送信するビーコン情報などに左右され得る。
【００５０】
受信機は、送信器からビーコンシンボルのセットを受信し、各ビーコンシンボルにおける各サブキャリアの受信電力を判定し得る。受信機は、硬判定復号及び／または軟判定復号を用いて、送信機によって送信されたビーコン情報を回復し得る。硬判定復号に関して、受信機は最初に各ビーコンシンボルに関してビーコンサブキャリアを判定する。各ビーコンシンボルに関して、受信機は各サブキャリアの受信電力を閾値と比較し、受信電力が閾値を超えるならばビーコンサブキャリアを宣言（declare）する。閾値は、総受信電力、ビーコン送信電力、利用可能な送信電力などに基づいて決定され得る。受信機は、各ビーコンシンボルにおける各ビーコンサブキャリアに非バイナリシンボルを取得し、それからビーコン情報を回復するために全ての非バイナリシンボルを復号し得る。
【００５１】
軟判定復号に関して、受信機は最初にビーコン情報のために送信機により送信可能な夫々の見込まれるメッセージに関する総受信電力を判定する。夫々の見込まれるメッセージに関して、受信機は、メッセージに関する総受信電力を得るために、そのメッセージに関する（異なるビーコンシンボルにおける）全てのビーコンサブキャリアの受信電力をコヒーレントにまたは非コヒーレントに結合し得る。受信機は、Ｑ個（ここでＱは、１２ビットのメッセージに関して４０９６と同じであり得る）の見込まれるメッセージに関してＱ個の総受信電力を取得し得る。一設計において、受信機は最大の総受信電力を持つメッセージを識別し、その総受信電力が閾値以上ならばこのメッセージを復号メッセージとして提供し得る。受信機は、この設計に関して高々１つの復号メッセージを取得し得る。別の設計において、受信機は夫々のメッセージに関する総受信電力を閾値と比較し、その総受信電力が閾値以上ならばこのメッセージを復号メッセージとして提供し得る。受信機は、この設計に関して０個、１個または２個以上の復号メッセージを取得し得る。
【００５２】
受信機は、硬判定復号及び軟判定復号の組み合わせも使用し得る。例えば、受信機は、最初に硬判定復号を行って検出メッセージを取得し得る。受信機は、それからこの検出メッセージに関するビーコンサブキャリアの総受信電力を閾値と比較し得る。受信機は、総受信電力が閾値を超えるならば検出メッセージを復号メッセージとして提供し得る。
【００５３】
図６は、基地局１１０及び端末１２０の設計のブロック図を示しており、これらは図１の基地局の１つ及び端末の１つであり得る。この設計において、基地局１１０はＴ個のアンテナ６３４ａから６３４ｔまでを備えており、端末１２０はＲ個のアンテナ６５２ａから６５２ｒまでを備えており、ここで通常はＴ≧１及びＲ≧１である。
【００５４】
基地局１１０において、送信プロセッサ６２０は、１つまたは複数の端末のためのトラフィックデータをデータソース６１２から受け取り、１つまたは複数の変調及び符号化方式に基づいて各端末のためのトラフィックデータを処理し、全ての端末のためのデータ変調シンボルを提供し得る。送信プロセッサ６２０は、ビーコン情報及び他の情報も処理し、制御変調シンボルも提供し得る。送信（ＴＸ）多入力多出力（ＭＩＭＯ）プロセッサ６３０は、データ変調シンボル、制御変調シンボル、パイロットシンボル及びことによると他のシンボルを多重化し得る。ＴＸ  ＭＩＭＯプロセッサ６３０は、適用可能であれば、多重化されたシンボルに空間処理（例えばプリコーディング）を行って、Ｔ個の出力シンボルストリームをＴ個の変調器（ＭＯＤ）６３２ａから６３２ｔまでに供給し得る。各変調器６３２は、出力サンプルストリームを得るために個別の出力シンボルストリーム（例えば、ＯＦＤＭ、ＳＣ−ＦＤＭなどに関する）を処理し得る。各変調器６３２は、順方向リンク信号を得るために出力サンプルストリームを更に処理（例えば、アナログへの変換、増幅、フィルタリング及びアップコンバート）し得る。変調器６３２ａから６３２ｔまでからのＴ個の順方向リンク信号は、Ｔ個のアンテナ６３４ａから６３４ｔまでを夫々経由して送信され得る。
【００５５】
端末１２０において、アンテナ６５２ａから６５２ｒまでは、基地局１１０からの順方向リンク信号を受信し、受信信号を復調器（ＤＥＭＯＤ）６５４ａから６５４ｒまでに夫々供給し得る。各復調器６５４は、受信サンプルを得るために個別の受信信号を調整（例えば、フィルタリング、増幅、ダウンコンバート及びデジタル化）し得る。各復調器６５４は、受信シンボルを得るために（例えばＯＦＤＭ、ＳＣ−ＦＤＭに関する）受信サンプルを更に処理し得る。ＭＩＭＯ検出器６５６は、全Ｒ個の復調器６５４ａから６５４ｒまでから受信シンボルを取得し、適用可能であれば受信シンボルのＭＩＭＯ検出を行い、検出シンボルを提供し得る。受信プロセッサ６６０は、検出シンボルを処理（例えば、復調、デインタリーブ及び復号）し、端末１２０のための復号トラフィックデータをデータシンク６６２に供給し、復号ビーコン情報及び他の情報をコントローラ／プロセッサ６８０に供給し得る。
【００５６】
逆方向リンクでは、端末１２０において、データソース６７２からのトラフィックデータ及びコントローラ／プロセッサ６８０からの制御情報が送信プロセッサ６７４によって処理され、適用可能であればＴＸ  ＭＩＭＯプロセッサ６７６によってプリコーディングされ、変調器６５４ａから６５４ｒまでによって処理され（例えば、ＯＦＤＭまたはＳＣ−ＦＤＭに関して）、基地局１１０に送信され得る。基地局１１０において、端末１２０からの逆方向リンク信号は、アンテナ６３４によって受信され、復調器６３２によって復調され、適用可能であればＭＩＭＯ検出器６３６によって処理され、端末１２０によって送信されたトラフィックデータ及び制御情報を取得するために受信プロセッサ６３８によって更に処理され得る。
【００５７】
コントローラ／プロセッサ６４０及び６８０は、基地局１１０及び端末１２０における動作を夫々指示し得る。メモリ６４２及び６８２は、端末１２０及び基地局１１０のためのデータ及びプログラムコードを夫々保存し得る。スケジューラ６４４は、順方向及び逆方向リンクでの送信のために端末をスケジューリングし、スケジューリングされた端末のためのリソースの割り当てを提供し得る。
【００５８】
図７は、送信プロセッサ７２０の設計のブロック図を示しており、これは図６の送信プロセッサ６２０または６７４の一部であり得る。送信プロセッサ７２０内では、ビーコン生成器７２２がビーコン符号に基づいてビーコン情報を受信及び処理し、非バイナリシンボルのシーケンスを提供する。乗算器７２４は、ビーコン変調シンボルをビーコン送信電力Ｐｂｅａｃｏｎによって決定されるゲインＧｂｅａｃｏｎと乗算する。ビーコン変調シンボルは、ビーコンのために使用される変調シンボルであり、固定の複素数値であり得る。エンコーダ／変調器７２６は、符号化データを得るために符号化方式に基づいて他の情報を受信及び符号化し、変調方式に基づいて符号化データを変調シンボルにマッピングし得る。乗算器７２８は、ユニット７２６からの変調シンボルをデータ送信電力Ｐｄａｔａによって決定されるゲインＧｄａｔａと乗算し得る。
【００５９】
ＦＤＭビーコンシンボルを生成するために、シンボル−サブキャリアマッパ７３０は乗算器７２４からのスケーリングされたビーコン変調シンボルをビーコン生成器７２２からの非バイナリシンボルＸｔによって決定されるビーコンサブキャリアにマッピングし得る。マッパ７３０は、ビーコンセグメント内の残りのサブキャリアに零シンボルをマッピングし得る。マッパ７３０は、同様に、乗算器７２８からのスケーリングされた変調シンボルをデータセグメント内のサブキャリアにマッピングし得る。パンクチャドビーコンシンボルを生成するために、マッパ７３０は、最初に、乗算器７２８からのスケーリングされた変調シンボルをＫ個の全部のサブキャリアにマッピングし得る。マッパ７３０は、それから乗算器７２４からのスケーリングされたビーコン変調シンボルを用いて、ビーコンサブキャリアにマッピングされた変調シンボルを取り替えまたはパンクチャリングし（puncture）得る。どちらの場合においても、マッパ７３０はＫ個の全部のサブキャリアに関してＫ個のマッピングされたシンボルを提供する。ＯＦＤＭ変調器７３２は、Ｋ個のマッピングされたシンボルを用いてＯＦＤＭシンボルを生成し、このＯＦＤＭシンボルを多重ビーコンシンボルとして提供する。
【００６０】
図８は、受信プロセッサ８６０の設計のブロック図を示しており、これは図６の受信プロセッサ６３８または６６０の一部であり得る。ＯＦＤＭ復調器８５４は、受信サンプルにＯＦＤＭ復調を行い、夫々のＯＦＤＭシンボル期間におけるＫ個全部のサブキャリアに関してＫ個の受信シンボルを提供する。
【００６１】
受信プロセッサ８６０内では、シンボル−サブキャリアデマッパ８６２が各ＯＦＤＭシンボルに関してＫ個の受信シンボルを取得し得る。ＦＤＭビーコンシンボルに関して、デマッパ８６２はビーコンセグメント内のサブキャリアに関する受信シンボルをビーコン検出器８６４に供給し、データセグメント内のサブキャリアに関する受信シンボルを復調器／デコーダ８６６に供給し得る。ビーコン検出器８６４は、硬判定及び／または軟判定復号をデマッパ８６２からの受信シンボルに行って、デコードされたビーコン情報を提供し得る。復調器／デコーダ８６６は、復調及び復号をデマッパ８６２からの受信シンボルに行って、デコードされた他の情報を提供し得る。
【００６２】
パンクチャドビーコンシンボルに関して、デマッパ８６２は全Ｋ個のサブキャリアに関する受信シンボルをビーコン検出器８６４及び復調器／デコーダ８６６の両方に提供する。ビーコン検出器８６４は、硬判定及び／または軟判定復号を受信シンボルに行って、デコードされたビーコン情報を提供し得る。ビーコン検出器は、ビーコンサブキャリアを復調器／デコーダ８６６に通知し得る。復調器／デコーダ８６６は、ビーコンサブキャリアに関する受信シンボルを破棄し、残りの受信シンボルに復調及び復号を行って、デコードされた他の情報を提供する。
【００６３】
図９は、無線通信システムにおいて情報を送信するための処理９００の設計を示す。処理９００は送信機によって行われ得るが、これは基地局、端末または何らかの他のエンティティであり得る。
【００６４】
送信機は、サブキャリアの第１のセットのうちの少なくとも１つのサブキャリアの位置によって伝達される第１の情報（例えば、ビーコン情報）を当該少なくとも１つのサブキャリアにマッピングし得る（ブロック９１２）。送信機は、第２の情報（例えば、他の情報）をサブキャリアの第２のセットのうちの１つまたは複数のサブキャリアにマッピングし得る（ブロック９１４）。一設計において、第２の情報は第２のセットのうちの１つまたは複数のサブキャリア上で送信される１つまたは複数の変調シンボルによって伝達され得る。第２の情報は、他の方法及び／または他の変調技術に基づいて第２のセットのうちの１つまたは複数のサブキャリアにマッピングされ得る。送信機は、第１のセットのうちの少なくとも１つのサブキャリアにマッピングされた第１の情報と、第２のセットのうちの１つまたは複数のサブキャリアにマッピングされた第２の情報とを備える少なくとも１つのビーコンシンボルを生成し得る（ブロック９１６）。各ビーコンシンボルは、第１の情報のために使用される少なくとも１つのサブキャリアを持ち、ＯＦＤＭシンボル、ＳＣ−ＦＤＭシンボルなどであり得る。
【００６５】
一設計において、送信機は、例えば図２及び図３に示されるように、第１の情報を第２の情報と周波数分割多重し得る。この設計に関して、サブキャリアの第１のセットはサブキャリアの第２のセットと重複しないだろう。例えば、システム帯域幅は、多数のサブバンドに分割され得る。サブキャリアの第１のセットは、多数のサブバンドの少なくとも１つに属し得る。サブキャリアの第２のセットは、多数のサブバンドの残りのものに属し得る。別の設計において、送信機は、図４及び図５に示されるように、第１の情報を用いて少なくとも１つのサブキャリア上の第２の情報をパンクチャリングし（puncture）得る。この設計に関して、サブキャリアの第１のセットは、サブキャリアの第２のセットと部分的または相補的に重複（例えば、一致）し得る。
【００６６】
送信機は、（ｉ）利用可能な送信電力の所定の比率、（ｉｉ）第１の情報に関して目標の信頼性を達成するための送信電力の量、または、（ｉｉｉ）何らかの他の送信電力割り当て方式に基づいて第１の情報のための第１の送信電力を決定し得る。送信機は、第１の情報のための第１のセットにおける少なくとも１つのサブキャリア上で送信される少なくとも１つの変調シンボルのために第１の送信電力を使用し得る。送信機は、第２の情報のための第２の送信電力も決定し得る。送信機は、例えば図３及び図５に示されるように、第２の情報のための第２のセットにおける１つまたは複数のサブキャリア上で送信される１つまたは複数の変調シンボルのために第２の送信電力を使用し得る（例えば、第２の送信電力を分配する）。
【００６７】
ブロック９１２の一設計において、送信機は少なくとも１つの非バイナリシンボルを得るためにビーコン符号に基づいて第１の情報を符号化し得る。送信機は、それからこの少なくとも１つの非バイナリシンボルに基づいて第１の情報のために使用する少なくとも１つのサブキャリアを決定し得る。ブロック９１２の別の設計において、送信機は、多数の非バイナリシンボルを得るために第１の情報を符号化し得る。送信機は、それからこの多数の非バイナリシンボルに基づいて多数のビーコンシンボルにおいて第１の情報のために使用する多数のサブキャリア（対応する非バイナリシンボルに基づいて、各ビーコンシンボルについて１つのサブキャリアが決定される）を決定し得る。送信機は、それから１つのサブキャリアにマッピングされた第１の情報を備える夫々のビーコンシンボルを生成し得る。送信機は、他の方法で第１の情報を符号化及び送信し得る。
【００６８】
第１の情報は、セルＩＤ、セクタＩＤ及び／または他の情報を備え得る。第２の情報は、パイロット、制御情報、トラフィックデータまたはそれらの組み合わせを備え得る。第２の情報は、データチャネル（ＤＣＨ）、共通パイロットチャネル（ＣＰＩＣＨ）、個別パイロットチャネル（ＤＰＩＣＨ）などのチャネルのためのものであり得る。
【００６９】
図１０は、無線通信システムにおいて情報を送信するための装置１０００の設計を示す。装置１０００は、サブキャリアの第１のセットのうちの少なくとも１つのサブキャリアの位置によって伝達される第１の情報をこの少なくとも１つのサブキャリアにマッピングするモジュール１０１２と、第２の情報をサブキャリアの第２のセットのうちの１つまたは複数のサブキャリアにマッピングするモジュール１０１４と、第１のセットのうちの少なくとも１つのサブキャリアにマッピングされた第１の情報と第２のセットのうちの１つまたは複数のサブキャリアにマッピングされた第２の情報とを備える少なくとも１つのビーコンシンボルを生成するモジュール１０１６とを含む。
【００７０】
図１１は、無線通信システムにおいて情報を受信するための処理１１００の設計を示す。処理１１００は受信機によって行われ得るが、これは端末、基地局または何らかの他のエンティティであり得る。
【００７１】
受信機は、サブキャリアの第１のセットのうちの少なくとも１つのサブキャリアにマッピングされた第１の情報とサブキャリアの第２のセットのうちの１つまたは複数のサブキャリアにマッピングされた第２の情報とを備える少なくとも１つのビーコンシンボルを受信し得る（ブロック１１１２）。受信機は、第１のセットのうちの少なくとも１つのサブキャリアの位置に基づいて第１の情報を回復し得る（ブロック１１１４）。受信機は、第２のセットのうちの１つまたは複数のサブキャリアに関する１つまたは複数の受信シンボルに基づいて第２の情報を回復し得る（ブロック１１１６）。
【００７２】
一設計において、第１の情報は第２の情報と周波数分割多重され得るし、サブキャリアの第１のセットはサブキャリアの第２のセットと重複しないだろう。別の設計において、第１の情報は少なくとも１つのサブキャリア上の第２の情報をパンクチャリングし（puncture）得るし、サブキャリアの第１のセットはサブキャリアの第２のセットと重複し得る。この設計に関して、受信機は、第１の情報のために使用される少なくとも１つのサブキャリアに関する少なくとも１つの受信シンボルを破棄し、第２の情報を回復するために第２のセットのうちの残りのサブキャリアに関する受信シンボルを処理し得る。
【００７３】
一設計において、受信機は、第１のセットにおける各サブキャリアの受信電力を閾値と比較し得る。受信機は、比較結果に基づいて第１の情報のために使用された少なくとも１つのサブキャリアを識別し得る。受信機は、それから第１の情報を得るために少なくとも１つのサブキャリアに対応する少なくとも１つの非バイナリシンボルを復号化し得る。
【００７４】
別の設計において、受信機は各ビーコンシンボルにおいて１つのサブキャリアにマッピングされた第１の情報を備える多数のビーコンシンボルを受信し得る。受信機は、多数のビーコンシンボルから受信シンボルに硬判定及び／または軟判定復号を行うことにより第１の情報を回復し得る。硬判定復号に関して、受信機は各ビーコンシンボルにおいて第１の情報のために使用された１つのサブキャリアを判定し得る。受信機は、多数のビーコンシンボルに関して多数の非バイナリシンボル（各ビーコンシンボルについて１つの非バイナリシンボル）を取得し得る。各非バイナリシンボルは、対応するビーコンシンボルにおいて第１の情報のために使用された１つのサブキャリアの位置に基づいて判定され得る。受信機は、それから第１の情報を回復するために多数の非バイナリシンボルを復号化し得る。軟判定復号に関して、受信機は、多数のビーコンシンボルにおいてメッセージのために使用されるサブキャリアの受信電力を結合することにより、夫々の第１の情報に関して見込まれるメッセージに関して総受信電力を判定し得る。受信機は、それから全ての見込まれるメッセージに関する総受信電力に基づいて第１の情報を判定し得る。
【００７５】
図１２は、無線通信システムにおいて情報を受信するための装置１２００の設計を示す。装置１２００は、サブキャリアの第１のセットのうちの少なくとも１つのサブキャリアにマッピングされた第１の情報と、サブキャリアの第２のセットのうちの１つまたは複数のサブキャリアにマッピングされた第２の情報とを備える少なくとも１つのビーコンシンボルを受信するモジュール１２１２と、第１のセットのうちの少なくとも１つのサブキャリアの位置に基づいて第１の情報を回復するモジュール１２１４と、第２のセットのうちの１つまたは複数のサブキャリアに関する１つまたは複数の受信シンボルに基づいて第２の情報を回復するモジュール１２１６とを含む。
【００７６】
図１０及び図１２におけるモジュールは、プロセッサ、電子デバイス、ハードウェアデバイス、電子コンポーネント、論理回路、メモリなどまたはそれらの任意の組み合わせを備え得る。
【００７７】
当業者は、情報及び信号が任意の種々の異なる技術または技法を用いても表現され得ることを理解するだろう。例えば、上記説明の至る所で参照され得るデータ、命令、コマンド、情報、信号、ビット、シンボル及びチップは、電圧、電流、電磁波、磁場または磁性粒子、光場または光学粒子、またはそれらの任意の組み合わせによって表現され得る。
【００７８】
当業者は、本願の開示に関連して記述された種々の例示的な論理ブロック、モジュール、回路及びアルゴリズムステップが、電子ハードウェア、コンピュータソフトウェア、または両方の組み合わせとして実装され得ることを認識するだろう。ハードウェア及びソフトウェアのこの交換可能性を明瞭に説明するために、種々の例示的なコンポーネント、ブロック、モジュール、回路及びステップは、それらの機能性に関して一般的に上述されてきた。係る機能性がハードウェアまたはソフトウェアとして実装されるかどうかは、特定用途及び全体のシステムに課される設計制約次第である。熟練した技術者は、夫々の特定用途のために種々の方法で、記述された機能性を実装し得るが、係る実装決定は本開示の範囲からの逸脱を生じさせることとして解釈されるべきでない。
【００７９】
本願の開示に関連して記述された種々の例示的な論理ブロック、モジュール及び回路は、汎用プロセッサ、ＤＳＰ（digital signal processor）、ＡＳＩＣ（application specific integrated circuit）、ＦＰＧＡ（field programmable gate array）または他のプログラム可能な論理デバイス、ディスクリートゲートまたはトランジスタロジック、ディスクリートハードウェアコンポーネント、または本願に記述された機能を実行するように設計されたそれらの任意の組み合わせを用いて実装または実行され得る。汎用プロセッサはマイクロプロセッサであり得るが、代替的にプロセッサは任意の従来のプロセッサ、コントローラ、マイクロコントローラまたは状態機械であり得る。プロセッサは、例えばＤＳＰ及びマイクロプロセッサの組み合わせ、複数のマイクロプロセッサ、ＤＳＰコアと連結される１つまたは複数のマイクロプロセッサ、または任意の他の係る組み合わせなどのコンピューティングデバイスの組み合わせとしても実装され得る。
【００８０】
本願の開示と関連して記述された方法またはアルゴリズムのステップは、ハードウェアにおいて直接的に、プロセッサによって実行されるソフトウェアモジュールにおいて、または２つの組み合わせにおいて具体化され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または技術分野で知られている任意の他の形式の記憶媒体に存在し得る。例示的な記憶媒体は、記憶媒体から情報を読み込み、記憶媒体に情報を書き込み可能なプロセッサに結合される。或いは、記憶媒体は、プロセッサと統合され得る。プロセッサ及び記憶媒体は、ＡＳＩＣ内に存在し得る。ＡＳＩＣは、ユーザ端末内に存在し得る。或いは、記憶媒体は、ユーザ端末におけるディスクリートコンポーネントとして存在し得る。
【００８１】
１つまたは複数の例示的な設計において、記述された機能は、ハードウェア、ソフトウェア、ファームウェアまたは任意のそれらの組み合わせにおいて実装され得る。ソフトウェアにおいて実装されるならば、機能は、コンピュータ可読媒体上の１つまたは複数の命令またはコードとして保存または送信され得る。コンピュータ可読媒体は、ある場所から別の場所へのコンピュータプログラムの移動を容易にする任意の媒体を含むコンピュータ記憶媒体及び通信媒体の両方を含む。記憶媒体は、汎用または特殊用途のコンピュータによってアクセス可能な任意の利用可能な媒体であり得る。限定ではなく例示として、係るコンピュータ可読媒体は、ＲＡＭ、ＲＯＭ、ＥＥＰＲＯＭ、ＣＤ−ＲＯＭもしくは他の光ディスク記憶装置、磁気ディスク記憶装置もしくは他の磁気記憶装置、または所望のプログラムコード手段を命令もしくはデータ構造の形態で搬送もしくは格納するために使用可能であって、汎用のコンピュータもしくは特殊用途のコンピュータまたは汎用のプロセッサもしくは特殊用途のプロセッサによってアクセス可能な他のいかなる媒体をも含み得る。任意の接続も、厳密にはコンピュータ可読媒体と呼ばれる。例えば、ソフトウェアが、同軸ケーブル、光ファイバケーブル、ツイストペア、デジタル加入者線（ＤＳＬ）、または赤外線、ラジオ、およびマイクロ波などの無線技術を使用して、ウェブサイト、サーバ、または他のリモートソースから送信される場合、この同軸ケーブル、光ファイバケーブル、ツイストペア、ＤＳＬ、または赤外線、ラジオ波、およびマイクロ波などの無線技術が、媒体の定義に含まれる。本願で使用されるように、ディスク（disk）及びディスク（disc）は、ＣＤ（compact disc）、レーザーディスク（登録商標）（disc）、光ディスク（optical disc）、ＤＶＤ（digital versatile disc）、フロッピー（登録商標）ディスク（disk）、およびブルーレイディスク（blu-ray disc）を含み、ディスク（disk）は通常データを磁気的に再生し、ディスク（disc）はレーザーを使用してデータを光学的に再生する。上記のものの組合せもまた、コンピュータ可読媒体の範囲内に含まれるべきである。
【００８２】
本開示についての前述の説明は、いかなる当業者も本開示を製造または使用できるように提供されている。当業者には本開示への様々な修正が容易に明らかとなるだろうし、本願で定められる包括的な原理は、本開示の趣旨または範囲から逸脱することなく他の変形例に適用され得る。従って、本開示は、本願に記載された実施例および設計に限定されることを意図されておらず、本願に開示される原理および新規な特徴と調和する最も広い範囲を与えられるべきである。
【図１】
2010539807.tif 000012
【図２】
2010539807.tif 000013
【図３】
2010539807.tif 000014
【図４】
2010539807.tif 000015
【図５】
2010539807.tif 000016
【図６】
2010539807.tif 000017
【図７】
2010539807.tif 000018
【図８】
2010539807.tif 000019
【図９】
2010539807.tif 000020
【図１０】
2010539807.tif 000021
【図１１】
2010539807.tif 000022
【図１２】
2010539807.tif 000023
【国際調査報告】
2010539807.tif 000024
2010539807.tif 000025
2010539807.tif 000026